(57)【要約】      （修正有）【課題】一般家庭において手軽に使用でき、老若男女を問わず切れ味の鋭い刃物に仕上げることができる刃物研ぎ用具を提供する。【解決手段】上面が手前方向へ緩やかに傾斜した長方形板状の基台１の上面前部に磁石２を設け、仮面の四隅に微細吸盤シートを表面に設けたスポンジ材からなる固定板３をそれぞれ設けた刃物置台Ａと、これとは別に設けた把手４の一端部に研ぎ具の角度を調整するための角度調整ボルト６を設け、他端部に所定長さの研ぎ板部５を設けた研ぎ具Ｂを一組とした。【選択図】図６
0003135496.tif 000002
【実用新案登録請求の範囲】
【請求項１】
上面が手前方向に下方へ傾斜した長方形板状の基台の上面前部に微細吸盤シートを表面に設けた所定幅の磁石を設け、下面の四隅に固定板をそれぞれ設けた刃物設置台と、これとは別に把手の一端部に角度調整ボルトを設け、他端部に所定長さの研ぎ板部を設けた研ぎ具を一組としたことを特徴とする刃物研ぎ用具。
【考案の詳細な説明】
【技術分野】
【０００１】  本考案は主として調理用の刃物等を研ぐ際に使用する研ぎ用具に関するもので、調理士に限らず一般家庭において手軽に使用出来、しかも老若男女を問わず切れ味の鋭い刃物に仕上げることができる刃物研ぎ用具に関するものである。
【背景技術】
【０００２】  従来、調理用や家庭用に使用される刃物を研ぐ場合は砥石が利用され、最初に粗目の砥石で研ぎ、次に中目の砥石で研ぎ、最終的に細目の砥石で研いで仕上げていたが、近年下記の先願特許文献等に示すようにサンドペーパーを使ったり、人工的に作った材料を利用して機械的に行なう刃物用研ぎ具が各種提供されるようになった。
【特許文献１】  実願昭６０−１７８６６０号公報
【特許文献】  特開２００２−４６０７４号公報
【考案の開示】
【考案が解決しようとする課題】
【０００３】  しかし、これまでに提供されている砥石を使っての刃物研ぎは専門の研師を除いて完璧に研ぐことは難しく、一般の人には使いこなせなかった。【０００４】  又、砥石を使って研ぐ場合は刃先の角度を砥石の面に合わせることが難しく、一定の角度を保ったままで刃物を前後に摺動させることは可なりの熟練が必要であった。【０００５】  又、紙ヤスリ、布ヤスリは軽量である上に折れ曲がりやすいので刃物を動かさずにヤスリを動かして研ぐことができるが、材質が薄いため撓みやすく、適度の力加減が必要であり、ある程度の熟練が必要であった。【０００６】  本考案は上面が手前方向に下方へ傾斜した長方形板状の基台の上面前部に、表面に微細吸盤シートを設けた所定幅の磁石（永久磁石）を設け、下面の四隅に基台を安定させるための固定板をそれぞれ設けて刃物設置台を構成し、この刃物設置台とは別に一端部に角度調整ボルトを設けた研ぎ具を一組とした刃物研ぎ用具を提供することを目的とする。
【課題を解決するための手段】
【０００７】  上記目的を達成するため本考案は、上面が手前方向に下方へ緩やかに傾斜した長方形板状の基台１の上面前部に微細吸盤シート２ｂを表面に設け、下面に微細吸盤シート２ａ設け、下面に吸盤微細シート２ａを設けた所定幅の磁石２（永久磁石）を設け、下面の四隅に微細吸盤シート３ｂを表面に設けたスポンジ材３ａからなる固定板３をそれぞれ設けた刃物置台Ａと、これとは別に設けた把手４の一端部に研ぎ具の角度を調整するための角度調整ボルト６を設け、他端部に所定長さの研ぎ板部５を設けた研ぎ具Ｂを一組としたものである。
【考案の効果】
【０００８】  上記のように構成された本考案には次のような効果がある。
ａ．図６に示したように、刃物を基台の上面前部に設けられた磁石に吸着させ、研ぎ具の研ぎ板部を刃の角度に合わせた状態で研ぎ具を前後に摺動させることによって確実に研ぐことができる。
ｂ．研ぎ具を刃の角度に合わせる時は把手の一端部に設けられた角度調整ボルトによって簡単に調整することができるので老若男女を問わず誰でも簡単に、且正確に研ぐことができる。
ｃ．本考案は軽量で簡単な構造になっているので携帯に便利である上に安価に提供できる。
ｄ．基台を安定させるために底面に設けられた固定板はスポンジ材を介して表面に微細吸盤シートが設けられていて吸着力に優れているので軽量であっても基盤は安定している。
ｄ．研ぎ具の研ぎ板部は表裏両面に微粒のダイヤモンドを固着させてあるので従来の研ぎ具（ヤスリ）より研磨性、耐久性が遙に優れている。
【考案を解決するための最良の形態】
【０００９】  以下、本考案の実施の形態を図面に基づいて説明する。
図１は本考案の刃物設置台の斜視図、図２は図１に於けるＣ−Ｃ断面図、図３は磁石の拡大側面図、図４は固定板の拡大側面図、図５は研ぎ具の斜視図で図６は本考案の使用状態を示した側面図で、図中の符号Ａは刃物設置台、Ｂは研ぎ具を示す。
【００１０】  １は図１に示すように上面が手前方向へ傾斜（略１８度）した長方形板状の基台で、上面前部に所定幅の磁石２が接着固定され、底面の四隅には固定板３がそれぞれ設けられている。
【００１１】  磁石２は図３に示したように、底面全面に微細吸盤シート２ａが、表面にも微細吸盤シート２ｂが設けられていて基台１の前部に取り付けた際、この微細吸盤シート２ａの吸着力によって強く吸着されるようになっており、上面に刃物を吸着させると磁石２と微細吸盤シートの相乗効果によって刃物は強力に固着される。
微細吸盤シートは多数の極めて小さい吸着盤からなっているので強力の吸着力を持っているが、徐々に剥離するようにすると容易に取り離すことができる。
【００１２】  ３は基台１の底面の四隅に設けられた固定板で、この固定板３はスポンジ材の上面に微細吸盤シート３ａが設けられていて、この微細基盤シート介して基台１に吸着固定されるようになっている。
【００１３】  ４は研ぎ具Ｂの把手で、図５に示したように把手４の後方の端部に角度調整ボルト６が設けられ、前端部には所定長さの研ぎ板部５が設けられていて、刃物を研ぐ際、刃の角度に合わせて研ぎ具の角度を調整することができるようになっている。
【００１４】  研ぎ板部５は把手４の前端部に設けられている所定長さの板状の研ぎ板で、この研ぎ板部５の表裏両面には微粒のダイヤモンドが一面に設けられ、この両面で刃物を研ぐようになっている。
【００１５】  把手４の後方の端部に設けられた角度調整ボルト６は、刃物を研ぐ際、ねじ６ａを利用して研ぎ板部５の角度を調整し、固定ナット７を利用して決めた角度を固定するようにしたものである。
【００１６】  上記のように構成された本考案を実際に使用する場合は次のようになる。
図６に示したように、刃物の刃を前方（図面では左側）にした状態で基台上の磁石に接着させると刃の角度が略水平状になり、この水平状になった刃に研ぎ具の研ぎ板部を合わせるように角度調節ボルトを調節し、固定ナットで固定する。
このようにセットした後、片手で把手を握って研ぎ具を前後に軽く摺動させることによって刃は正確に研げる。
刃の角度は刃物によって多少異なるが角度調節ボルトを調節することによって正確な角度に調整することができる。
研ぎ具の両面は微粒ダイヤモンドを全面に固着してあるので、研いだ刃先は従来には見られない優れた切れ味の刃物に変身する。
【図面の簡単な説明】
【００１７】
【図１】  本考案の刃物設置台の斜視図
【図２】  図１におけるＣ−Ｃ断面図
【図３】  磁石の拡大断面図
【図４】  固定板の拡大側面図
【図５】  研ぎ具の斜視図
【図６】  本考案の使用状態図
【符号の説明】
【００１８】  １  基台
２  磁石
２ａ  微細吸盤シート
２ｂ  微細吸盤シート
３  固定板
３ａ  スポンジ材
３ｂ  微細吸盤シート
４  把手
５  研ぎ板部
６  角度調整ボルト
６ａ  ねじ
７  固定ナット
Ａ  刃物置台
Ｂ  研ぎ具
Ｈ  刃物
【図１】
0003135496.tif 000003
【図２】
0003135496.tif 000004
【図３】
0003135496.tif 000005
【図４】
0003135496.tif 000006
【図５】
0003135496.tif 000007
【図６】
0003135496.tif 000008